【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
取引装置であって、
プロセッサー命令を格納するメモリー、及び
メモリーに電気的に結合された少なくとも一つのプロセッサー、を有し、
前記少なくとも一つのプロセッサーによって執行されるプロセッサー命令は、前記少なくとも一つのプロセッサーに、
少なくとも１つのサーバーから第１の証券の市場情報を受け取ることであって、
前記市場情報は、
前記第１の証券を売るための複数の売り注文の要求であって、売られている前記第１の証券の量を含む各売り注文の情報、及び、
前記第１の証券を買うための少なくとも一つの買い注文の要求であって、買いに出されている第１の証券の量を含む前記少なくとも一つの買い注文の情報を含み、
前記装置は通信ネットワークを介して前記少なくとも１つのサーバーと通信動作可能であり、
前記複数の売り注文のうちの少なくとも一つが現在利用可能であることを決定することであって、現在利用可能な売り注文又は買い注文は取引される利用可能注文を含み、
前記少なくとも一つの売り注文が現在利用可能であることを決定することの少なくとも一部に基づき、前記第１の証券の利用可能売り量を決定することであって、前記利用可能売り量は現在利用可能であると決定された売り注文の量の少なくとも一部との合計を含み、
前記複数の売り注文のうちの少なくともあと一つが現在利用可能であることを決定することであって、現在利用可能な売り注文又は買い注文はその注文の量の少なくとも一部を取引するための取引の一部である注文を含み、
前記少なくとも一つの売り注文が現在利用不可能であることを決定することの少なくとも一部に基づき、前記第１の証券の利用不可能売り量を決定することであって、前記利用不可能売り量は現在利用不可能であると決定された売り注文の量の合計を含み、
前記少なくとも一つの買い注文が現在利用不可能であることを決定すること、
前記少なくとも一つの買い注文が現在利用不可能であることを決定することの少なくとも一部に基づき、前記第１の証券の一次的利用不可能売り量を決定することであって、前記一時的利用不可能売り量は（ｉ）前記利用不可能売り量と（ｉｉ）前記少なくとも一つの買い注文の量との間の差に、少なくとも部分的に基づくものであり、
前記第１の証券の事実上利用可能売り量を決定することであって、前記事実上利用可能売り量は（ｉ）前記利用可能売り量と（ｉｉ）前記一時的利用不可能売り量の少なくとも一部との合計に基づくものであり、
前記第１の証券の買い量を買うための買い注文の要求を前記少なくとも一つのサーバーに送信することであって、前記送信された買い注文の前記買い量は前記事実上利用可能売り量の少なくとも一部に基づくものであり、
第２の証券の売り量を決定することであって、前記第２の証券の売り量は前記事実上利用可能売り量の少なくとも一部に基づくものであり、及び、
前記第２の証券の売り量を売るための売り注文の要求を前記少なくとも一つのサーバーに送信することを指示する装置。
【請求項２】
前記少なくとも一つのプロセッサーによって執行されるプロセッサー命令は、さらに前記少なくとも一つのプロセッサーに、最小規模の必要条件を満たす前記第２の証券の売り量を決定することを指示し、及び、
前記買い注文及び前記売り注文を送信することは、前記最小規模の必要条件を満たす前記第２の証券の売り量を決定することの少なくとも一部に基づき、前記買い注文及び前記売り注文を送信することを含む、請求項１記載の装置。
【請求項３】
前記少なくとも一つのプロセッサーによって執行されるプロセッサー命令は、さらに前記少なくとも一つのプロセッサーに、前記第１の証券のスケールされた一時的利用不可能売り量を決定することを指示し、前記スケールされた一時的利用不可能売り量は、前記第１の証券のスケールされた一時的利用不可能売り量の結果と、わずかな値を有するリスク係数とに基づくものであり、及び、
前記事実上利用可能売り量は、（ｉ）前記第１の証券の利用可能売り量及び（ｉｉ）前記第１の証券のスケールされた一時的利用不可能売り量の合計に基づくものである、請求項１記載の装置。
【請求項４】
前記少なくとも一つのプロセッサーによって執行されるプロセッサー命令は、さらに前記少なくとも一つのプロセッサーに、
第３の証券の価格を決定することであって、
前記第３の証券は前記第１の証券のポジションと前記第２の証券のポジションとを含み、及び、
前記第３の証券の価格は前記第１の証券のポジションの値と前記第２の証券のポジションの値とに少なくとも部分的に基づくものであり、及び、
前記決定された前記第３の証券の価格で前記第３の証券を売るための売り注文の要求を前記少なくとも一つのサーバーに送信することを指示する、請求項１記載の装置。
【請求項５】
前記第１の証券のポジションの値は前記売り価格の少なくとも一部に基づくものであり、及び、
前記第２の証券のポジションの値は前記第２の証券の決定された価格の少なくとも一部に基づくものである、請求項４記載の装置。
【請求項６】
取引装置であって、
プロセッサー命令を格納するメモリー、及び
メモリーに電気的に結合された少なくとも一つのプロセッサー、を有し、
前記少なくとも一つのプロセッサーによって執行されるプロセッサー命令は、前記少なくとも一つのプロセッサーに、
少なくとも１つのサーバーから第１の証券の市場情報を受け取ることであって、
前記市場情報は、
前記第１の証券を買うための複数の買い注文の要求であって、買いに出されている前記第１の証券の量を含む各買い注文の情報、及び、
前記第１の証券を売るための少なくとも一つの売り注文の要求であって、売られている第１の証券の量を含む前記少なくとも一つの売り注文の情報を含み、
前記装置は通信ネットワークを介して前記少なくとも１つのサーバーと通信動作可能であり、
前記複数の買い注文のうちの少なくとも一つが現在利用可能であることを決定することであって、現在利用可能な売り注文又は買い注文は取引される利用可能注文を含み、
前記少なくとも一つの買い注文が現在利用可能であることを決定することの少なくとも一部に基づき、前記第１の証券の利用可能買い量を決定することであって、前記利用可能買い量は現在利用可能であると決定された買い注文の量の少なくとも一部との合計を含み、
前記複数の買い注文のうちの少なくともあと一つが現在利用可能であることを決定することであって、現在利用可能な売り注文又は買い注文はその注文の量の少なくとも一部を取引するための取引の一部である注文を含み、
前記少なくとも一つの買い注文が現在利用不可能であることを決定することの少なくとも一部に基づき、前記第１の証券の利用不可能買い量を決定することであって、前記利用不可能買い量は現在利用不可能であると決定された買い注文の量の合計を含み、
前記少なくとも一つの売り注文が現在利用不可能であることを決定すること、
前記少なくとも一つの売り注文が現在利用不可能であることを決定することの少なくとも一部に基づき、前記第１の証券の一次的利用不可能買い量を決定することであって、前記一時的利用不可能買い量は（ｉ）前記利用不可能買い量と（ｉｉ）前記少なくとも一つの売り注文の量との間の差に、少なくとも部分的に基づくものであり、
前記第１の証券の事実上利用可能買い量を決定することであって、前記事実上利用可能買い量は（ｉ）前記利用可能買い量と（ｉｉ）前記一時的利用不可能買い量の少なくとも一部との合計に基づくものであり、
前記第１の証券の売り量を売るための売り注文の要求を前記少なくとも一つのサーバーに送信することであって、前記送信された買い注文の売り量は前記事実上利用可能買い量の少なくとも一部に基づくものであり、
第２の証券の買い量を決定することであって、前記第２の証券の買い量は前記事実上利用可能買い量の少なくとも一部に基づくものであり、及び、
前記第２の証券の買い量を買うための買い注文の要求を前記少なくとも一つのサーバーに送信することを指示する装置。
【請求項７】
前記少なくとも一つのプロセッサーによって執行されるプロセッサー命令は、さらに前記少なくとも一つのプロセッサーに、最小規模の必要条件を満たす前記第２の証券の買い量を決定することを指示し、及び、
前記買い注文及び前記売り注文を送信することは、前記最小規模の必要条件を満たす前記第２の証券の買い量を決定することの少なくとも一部に基づき、前記買い注文及び前記売り注文を送信することを含む、請求項６記載の装置。
【請求項８】
前記少なくとも一つのプロセッサーによって執行されるプロセッサー命令は、さらに前記少なくとも一つのプロセッサーに、前記第１の証券のスケールされた一時的利用不可能買い量を決定することを指示し、前記スケールされた一時的利用不可能買い量は、前記第１の証券のスケールされた一時的利用不可能買い量の結果と、わずかな値を有するリスク係数とに基づくものであり、及び、
前記事実上利用可能買い量は、（ｉ）前記第１の証券の利用可能買い量及び（ｉｉ）前記第１の証券のスケールされた一時的利用不可能買い量の合計に基づくものである、請求項６記載の装置。
【請求項９】
前記少なくとも一つのプロセッサーによって執行されるプロセッサー命令は、さらに前記少なくとも一つのプロセッサーに、
第３の証券の価格を決定することであって、
前記第３の証券は前記第１の証券のポジションと前記第２の証券のポジションとを含み、及び、
前記第３の証券の価格は前記第１の証券のポジションの値と前記第２の証券のポジションの値とに少なくとも部分的に基づくものであり、及び、
前記決定された前記第３の証券の価格で前記第３の証券を売るための売り注文の要求を前記少なくとも一つのサーバーに送信することを指示する、請求項１記載の装置。
【請求項１０】
前記第１の証券のポジションの値は前記買い価格の少なくとも一部に基づくものであり、及び、
前記第２の証券のポジションの値は前記第２の証券の決定された価格の少なくとも一部に基づくものである、請求項９記載の装置。
【請求項１１】
前記少なくとも一つのサーバーは売り注文の利用可能性状態を維持し、それぞれの売り注文のために維持された前記利用可能性状態は、
前記それぞれの売り注文が現在利用可能であること、及び、
前記それぞれの売り注文が現在利用不可能であることを示し、
前記複数の売り注文それぞれの前記少なくとも一つのサーバーから受け取られた情報は、前記少なくとも一つのサーバーによって維持された前記利用可能性状態をさらに含み、
前記少なくとも一つの売り注文が現在利用可能であることを決定することは、前記少なくとも一つの売り注文に対する利用可能性状態が前記少なくとも一つの売り注文が現在利用可能であることを示すことを決定することを含み、及び、
前記少なくともあと一つの売り注文が現在利用不可能であることを決定することは、前記少なくともあと一つの売り注文に対する利用可能性状態が前記少なくともあと一つの売り注文が現在利用不可能であることを示すことを決定することを含む、請求項１記載の装置。
【請求項１２】
前記少なくとも一つのサーバーは買い注文の利用可能性状態を維持し、それぞれの買い注文のために維持された前記利用可能性状態は、
前記それぞれの買い注文が現在利用可能であること、及び、
前記それぞれの買い注文が現在利用不可能であることを示し、
前記複数の買い注文それぞれの前記少なくとも一つのサーバーから受け取られた情報は、前記少なくとも一つのサーバーによって維持された前記利用可能性状態をさらに含み、及び、
前記少なくとも一つの買い注文が現在利用不可能であることを決定することは、前記少なくとも一つの買い注文に対する利用可能性状態が前記少なくとも一つの買い注文が現在利用不可能であることを示すことを決定することを含む、請求項１１記載の装置。
【請求項１３】
前記少なくとも一つの買い注文の情報を加えた前記市場情報は、
前記第１の証券を買うための複数の買い注文の要求であって、買いに出されている前記第１の証券の量を含む複数の買い注文それぞれの情報を含み、
前記少なくとも一つのプロセッサーによって執行されるプロセッサー命令は、さらに前記少なくとも一つのプロセッサーに、
前記複数の買い注文のうちの少なくとも一つが現在利用可能であることを決定すること、及び、
前記少なくとも一つの買い注文が現在利用可能であることを決定することの少なくとも一部に基づき、現在利用可能であると決定された前記買い注文の量の合計を決定することを指示し、及び、
前記第１の証券の利用可能売り量は（ｉ）現在利用可能であると決定された前記売り注文の量の合計と、（ｉｉ）現在利用可能であると決定された前記買い注文の量の合計との間の差を含む、請求項１記載の装置。
【請求項１４】
前記複数の売り注文は同一の売り価格で前記第１の証券を売るための要求を含み、
前記少なくとも一つの買い注文は買い価格で前記第１の証券を買うための要求を含み、及び、
前記買い価格は前記売り価格と等しいか、又は前記売り価格よりも大きい、請求項１記載の装置。
【請求項１５】
前記第１の証券の買い量を買うための前記送信された買い注文の要求は、前記売り価格に等しい価格で前記第１の買い量を買うための買い注文の要求を含む、請求項１４記載の装置。
【請求項１６】
前記少なくとも一つのプロセッサーによって執行されるプロセッサー命令は、さらに前記少なくとも一つのプロセッサーに、前記第２の証券の価格を決定することを指示し、前記第２の証券の前記決定された価格は前記売り価格の少なくとも一部に基づくものであり、及び、
前記第２の証券の前記売り量を売るための前記送信された売り注文の要求は、前記決定された価格で前記第２の証券の売り量を売るための売り注文の要求を含む、請求項１５記載の装置。
【請求項１７】
前記送信された買い注文及び売り注文はスプレッド注文の一部であり、
前記スプレッド注文は、前記スプレッド注文の単位に対する、前記第１の証券が買われるべき価格と、前記第２の証券が売られるべき価格との間の差を示すスプレッド価格を含み、及び、
前記第２の証券の前記決定された価格が前記売り価格及び前記スプレッド価格に基づくものである、請求項１６記載の装置。
【請求項１８】
前記スプレッド注文は、前記スプレッド注文の単位に対する、買われるべき前記第１の証券の量と、売られるべき前記第２の証券の量との間の差を示す比率を含み、及び、
前記第２の証券の売り量が前記事実上利用可能売り量及び前記比率の少なくとも一部に基づくものである、請求項１７記載の装置。
【請求項１９】
前記送信された買い注文及び売り注文はスプレッド注文の一部であり、
前記スプレッド注文は、前記スプレッド注文の単位に対する、買われるべき前記第１の証券の量と、売られるべき前記第２の証券の量との間の差を示す比率を含み、及び、
前記第２の証券の売り量が前記事実上利用可能売り量及び前記比率の少なくとも一部に基づくものである、請求項１記載の装置。
【請求項２０】
前記少なくともあと一つの売り注文及び買い注文が一致しており、そのためこれらは取引の一部である、請求項１記載の装置。
【請求項２１】
前記少なくとも一つのサーバーは買い注文の利用可能性状態を維持し、それぞれの買い注文のために維持された前記利用可能性状態は、
前記それぞれの買い注文が現在利用可能であること、及び、
前記それぞれの買い注文が現在利用不可能であることを示し、
前記複数の買い注文それぞれの前記少なくとも一つのサーバーから受け取られた情報は、前記少なくとも一つのサーバーによって維持された前記利用可能性状態をさらに含み、及び、
前記少なくとも一つの買い注文が現在利用可能であることを決定することは、前記少なくとも一つの買い注文に対する利用可能性状態が前記少なくとも一つの買い注文が現在利用可能であることを示すことを決定することを含み、前記少なくともあと一つの買い注文が現在利用不可能であることを決定することは、前記少なくともあと一つの買い注文に対する利用可能性状態が前記少なくともあと一つの買い注文が現在利用不可能であることを示すことを決定することを含む、請求項６記載の装置。
【請求項２２】
前記少なくとも一つのサーバーは売り注文の利用可能性状態を維持し、それぞれの売り注文のために維持された前記利用可能性状態は、
前記それぞれの売り注文が現在利用可能であること、及び、
前記それぞれの売り注文が現在利用不可能であることを示し、
前記複数の売り注文の前記少なくとも一つのサーバーから受け取られた情報は、前記少なくとも一つのサーバーによって維持された前記利用可能性状態をさらに含み、及び
前記少なくとも一つの売り注文が現在利用不可能であることを決定することは、前記少なくとも一つの売り注文に対する利用可能性状態が前記少なくとも一つの売り注文が現在利用不可能であることを示すことを決定することを含む、請求項２１記載の装置。
【請求項２３】
前記少なくとも一つの売り注文の情報を加えた前記市場情報は、
前記第１の証券を売るための複数の売り注文の要求であって、売られている前記第１の証券の量を含む複数の売り注文それぞれの情報を含み、
前記少なくとも一つのプロセッサーによって執行されるプロセッサー命令は、さらに前記少なくとも一つのプロセッサーに、
前記複数の売り注文のうちの少なくとも一つが現在利用可能であることを決定すること、及び、
前記少なくとも一つの売り注文が現在利用可能であることを決定することの少なくとも一部に基づき、現在利用可能であると決定された前記売り注文の量の合計を決定することを指示し、及び、
前記第１の証券の利用可能買い量は（ｉ）現在利用可能であると決定された前記買い注文の量の合計と、（ｉｉ）現在利用可能であると決定された前記売り注文の量の合計との間の差を含む、請求項６記載の装置。
【請求項２４】
前記複数の買い注文は同一の買い価格で前記第１の証券を買うための要求を含み、
前記少なくとも一つの売り注文は売り価格で前記第１の証券を売るための要求を含み、及び、
前記売り価格は前記買い価格と等しいか又は前記買い価格よりも小さい、請求項６記載の装置。
【請求項２５】
前記第１の証券の売り量を売るための前記送信された売り注文の要求は、前記買い価格に等しい価格で前記第１の売り量を売るための売り注文の要求を含む、請求項２４記載の装置。
【請求項２６】
前記少なくとも一つのプロセッサーによって執行されるプロセッサー命令は、さらに前記少なくとも一つのプロセッサーに、前記第２の証券の価格を決定することを指示し、前記第２の証券の前記決定された価格は前記買い価格の少なくとも一部に基づくものであり、及び、
前記第２の証券の前記買い量を買うための前記送信された買い注文の要求は、前記決定された価格で前記第２の証券の買い量を買うための買い注文の要求を含む、請求項２５記載の装置。
【請求項２７】
前記送信された売り注文及び買い注文はスプレッド注文の一部であり、
前記スプレッド注文は、前記スプレッド注文の単位に対する、前記第１の証券が売られるべき価格と、前記第２の証券が買われるべき価格との間の差を示すスプレッド価格を含み、及び、
前記第２の証券の前記決定された価格が前記買い価格及び前記スプレッド価格に基づくものである、請求項２６記載の装置。
【請求項２８】
前記スプレッド注文は、前記スプレッド注文の単位に対する、売られるべき前記第１の証券の量と、買われるべき前記第２の証券の量との間の差を示す比率を含み、及び、
前記第２の証券の買い量が前記事実上利用可能買い量及び前記比率の少なくとも一部に基づくものである、請求項２７記載の装置。
【請求項２９】
前記送信された売り注文及び買い注文はスプレッド注文の一部であり、
前記スプレッド注文は、前記スプレッド注文の単位に対する、売られるべき前記第１の証券の量と、買われるべき前記第２の証券の量との間の差を示す比率を含み、及び、
前記第２の証券の買い量が前記事実上利用可能買い量及び前記比率の少なくとも一部に基づくものである、請求項６記載の装置。
【請求項３０】
前記少なくともあと一つの買い注文及び売り注文が一致しており、そのためこれらは取引の一部である、請求項６記載の装置。